(57)【要約】【課題】実績マスタファイルにおける振込受取人情報の検索に際し、振込依頼人キー情報に紐付けられている振込受取人情報のみに検索範囲を制限されることなく広く検索を行うことを可能にする。【解決手段】振込依頼票の振込取引情報の画像イメージと文字認識結果とをエントリ画面に対比して表示するエントリ端末８と、振込依頼人が過去に振り込んだことがある科目２３及び口座番号２４を含む振込受取人情報並びに振込受取人名欄２９の桁数３６、３７を格納する実績マスタファイル６を有し、振込依頼票に記入した振込依頼人以外の振込依頼人が過去に振り込んだことがある振込受取人情報について科目２３及び口座番号２４並びに振込受取人名の桁数３６、３７をキーに依頼人情報外検索を実施し、検索の結果抽出された振込受取人情報を候補としてエントリ端末８に表示させる。【選択図】    図1
2014127104.tif 000002
【特許請求の範囲】
【請求項１】
振込依頼人が記入した伝票から振込取引情報を文字認識し、認識結果から振込取引情報を確定する為替システムにおいて、
前記伝票の振込取引情報の画像イメージと前記認識結果とをエントリ画面に対比して表示するエントリ端末と、
前記振込依頼人に関する振込依頼人情報に紐づけて科目及び口座番号を含む振込受取人情報並びに振込受取人の氏名又は名称の桁数を格納する実績マスタファイルと、
前記伝票に記入した前記振込依頼人以外の前記振込依頼人情報に紐づいた前記振込受取人情報について前記科目及び口座番号並びに前記振込受取人の氏名又は名称の桁数をキーに依頼人情報外検索を実施し、検索の結果抽出された前記振込受取人情報を候補として前記エントリ端末に表示させる制御部を有することを特徴とする為替システム。
【請求項２】
前記振込依頼人情報に紐づいた前記振込受取人情報とは、前記振込依頼人が過去に振込みを実施したことのある振込受取人の銀行名、支店名及び受取人名であることを特徴とする請求項１記載の為替システム。
【請求項３】
前記振込受取人の氏名の桁数は、振込受取人の苗字桁数及び名前桁数からなることを特徴とする請求項２記載の為替システム。
【請求項４】
前記制御部は、前記伝票に記入した前記振込依頼人情報に紐づいた前記振込受取人情報について科目及び口座番号をキーに依頼人情報内検索を実施し、検索の結果抽出された前記振込受取人情報を候補として前記エントリ端末に表示させ、当該依頼人情報内検索の結果該当がなかったときは、前記依頼人情報外検索を実施することを特徴とする請求項１乃至３いずれか一記載の為替システム。
【請求項５】
前記制御部は、前記依頼人情報外検索の結果、前記候補が複数件抽出されたときは、前記認識結果との比較から前記受取人情報の文字数の一致率が高い順に候補として前記エントリ端末に表示させることを特徴とする請求項１乃至４いずれか一記載の為替システム。
【請求項６】
前記制御部は、前記依頼人情報外検索の結果抽出された前記振込受取人情報と、前記依頼人情報内検索の結果抽出された前記振込受取人情報とを異なる色彩で前記エントリ端末に表示させることを特徴とする請求項１乃至５いずれか一記載の為替システム。
【請求項７】
振込依頼人が記入した伝票から振込取引情報を文字認識し、認識結果から振込取引情報を確定する為替サーバにおいて、
前記伝票の振込取引情報の画像イメージと前記認識結果とをエントリ画面に対比してエントリ端末に表示させ、
前記振込依頼人に関する振込依頼人情報に紐づけて科目及び口座番号を含む振込受取人情報並びに振込受取人の氏名又は名称の桁数を実績マスタファイルに格納させ、
前記伝票に記入した前記振込依頼人以外の前記振込依頼人情報に紐づいた前記振込受取人情報について前記科目及び口座番号並びに前記振込受取人の氏名又は名称の桁数をキーに依頼人情報外検索を実施し、検索の結果抽出された前記振込受取人情報を候補として前記エントリ端末に表示させる制御部を有することを特徴とする為替サーバ。
【請求項８】
前記振込依頼人情報に紐づいた前記振込受取人情報とは、前記振込依頼人が過去に振込みを実施したことのある振込受取人の銀行名、支店名及び受取人名であることを特徴とする請求項７記載の為替サーバ。
【請求項９】
前記振込受取人の氏名の桁数は、振込受取人の苗字桁数及び名前桁数からなることを特徴とする請求項８記載の為替サーバ。
【請求項１０】
前記制御部は、前記伝票に記入した前記振込依頼人情報に紐づいた前記振込受取人情報について科目及び口座番号をキーに依頼人情報内検索を実施し、検索の結果抽出された前記振込受取人情報を候補として前記エントリ端末に表示させ、当該依頼人情報内検索の結果該当がなかったときは、前記依頼人情報外検索を実施することを特徴とする請求項７乃至９いずれか一記載の為替サーバ。
【請求項１１】
前記制御部は、前記依頼人情報外検索の結果、複数件抽出されたときは、前記認識結果との比較から前記受取人情報の文字数の一致率が高い順に候補として前記エントリ端末に表示させることを特徴とする請求項７乃至１０いずれか一記載の為替サーバ。
【請求項１２】
前記制御部は、前記依頼人情報外検索の結果抽出された前記振込受取人情報と、前記依頼人情報内検索の結果抽出された前記振込受取人情報とを異なる色彩で前記エントリ端末に表示させることを特徴とする請求項７乃至１１いずれか一記載の為替サーバ。
【請求項１３】
振込依頼人が記入した伝票の振込取引情報の画像イメージと、前記伝票から振込取引情報をＯＣＲ装置で文字認識した認識結果とをエントリ端末へ送信し、エントリ画面に表示させる第１の送信手順と、
前記振込依頼人に関する振込依頼人情報に紐づけて科目及び口座番号を含む振込受取人情報並びに振込受取人の氏名又は名称の桁数を実績マスタファイルに格納する実績マスタ格納手順と、
前記伝票に記入した前記振込依頼人情報に紐づいた前記振込受取人情報について科目及び口座番号をキーに前記実績マスタファイルに対して依頼人情報内検索を実施する依頼人情報内検索手順と、
当該依頼人情報内検索手順の結果該当がなかったときは、前記振込依頼人以外の前記振込依頼人情報に紐づいた前記振込受取人情報について前記科目及び口座番号並びに前記振込受取人の氏名又は名称の桁数をキーに前記実績マスタファイルに対して依頼人情報外検索を実施する依頼人情報外検索手順と、
前記依頼人情報外検索又は前記依頼人情報内検索の結果、抽出された前記振込受取人情報を候補として前記エントリ端末に送信し、前記エントリ画面に表示させる第２の送信手順と、
その後、前記エントリ端末により確定された振込取引情報を前記実績マスタファイルへ更新を行う振込取引情報更新手順とをコンピュータに実行させるための為替サーバ用プログラム。
【発明の詳細な説明】
【技術分野】
【０００１】
本発明は、金融機関の営業店で受け付けた伝票を読み取って事務センタへ送信し、当該事務センタで集中処理する為替システムに関するものである。
【背景技術】
【０００２】
従来、為替システムは、記入済みの伝票としての振込依頼票の振込取引情報についてイメージデータを読取り、このイメージデータから振込取引情報をＯＣＲ文字認識して、これを画面に表示し、この表示画面に基づいてオペレータが所定の項目の入力を行う。この為替システムは、銀行等の営業店においてスキャナを備えた営業店端末と、振込依頼票を集中処理する事務センタと、自行ホストコンピュータから構成される。営業店端末は、営業店で受け付けた振込依頼票を読み取って事務センタへ送信する。そして、事務センタは、振込取引情報のイメージデータを受信し、ＯＣＲ文字認識を行う為替サーバを有し、更に、オペレータが入力を行うエントリ端末と、自行ホストコンピュータへ振込データを発信する発信端末を有する。事務センタのエントリ端末には、画面に振込取引情報の画像イメージとＯＣＲ文字認識した認識結果を対比して表示し、オペレータの確定入力によってその認識結果を振込データとして入力する。
【０００３】
ここで、エントリ端末の画面への表示の際、ＯＣＲ文字認識した認識結果をその都度文字認識して表示するのは、手書き文字を認識することの認識率の低さから必ずしも効率的ではなかった。そこで、過去の振込実績を実績マスタファイルに格納し、その実績マスタファイルから必要とする振込データを参照して今回の振込データを確定する方法が併用して行われている。
【０００４】
図７は従来の実績マスタファイルの構成図である。従来の実績マスタファイル６０は、まず依頼人の電話番号例えば０９０３３４４５５６６が依頼人キー情報６１−１、６１−２として複数格納されている。そして、当該依頼人キー情報６１−１、６１−２に紐づけられて依頼人名６２−１、６２−２として例えばヒノモトタロウ、アオゾラサクラが格納されている。更にこれに紐づけられて、依頼人ヒノモトタロウ、アオゾラサクラが過去に振り込んだことがある振込受取人情報が格納されている。即ち、振込受取人情報は、受取人キー情報６３−１、６３−２としての科目−口座番号が格納され、そして受取人情報６４−１、６４−２としての銀行名―支店名―受取人名が格納される。例えば、科目―口座番号は普通預金―第１２３４５６７号６３−１１であり、銀行名―支店名―受取人名はホンシュウ銀行―トウキョウ支店―ギンザイチロウ６４−１１である。
【０００５】
以下、依頼人ヒノモトタロウが受取人ホンシュウ銀行―トウキョウ支店―ギンザイチロウ宛てに振り込む場合について説明する。オペレータは、エントリ端末を操作して、依頼人の電話番号０９０３３４４５５６６について、振込取引情報の画像イメージとＯＣＲ文字認識した認識データを並べて表示し、依頼人キー情報６１−１を確定する。そして、この依頼人キー情報６１−１としての電話番号０９０３３４４５５６６をキーに実績マスタファイル６０を検索して、依頼人名６２−１ヒノモトタロウを読み出し、画面に表示してこれを確定する。
【０００６】
振込依頼人情報が確定すると、オペレータはエントリ端末の画面に表示された受取人の科目と口座番号について、画像イメージとＯＣＲ文字認識の認識データから受取人キー情報６３−１としての科目普通預金―口座番号第１２３４５６７号を確定する。その後、受取人キー情報６３−１としての科目普通預金―口座番号１２３４５６７をキーに実績マスタファイル６０を検索する。当該普通預金―第１２３４５６７号は、実績マスタファイル６０の依頼人キー情報６１−１に紐付けられて格納された受取人キー情報６３−１１と同じである。よって、これに更に紐付けられて格納されている受取人情報６４−１のホンシュウ−トウキョウ−ギンザイチロウ６４−１１が抽出され、これがオペレータによって確定されることになる。
【０００７】
なお、特開平９−９７３１２号公報（特許文献１）には、振込依頼書を読み取って文字認識する認識文字補正装置が開示されている。特許文献１によれば、振込依頼書に記入された支店漢字名が正式な名称でない場合も、前方一致で類似の支店名を取り出し、機関名と組み合わせて金融機関情報ファイルを検索するものである。
【先行技術文献】
【特許文献】
【０００８】
【特許文献１】特開平９−９７３１２号公報
【発明の概要】
【発明が解決しようとする課題】
【０００９】
しかしながら、従来の技術によれば、依頼人ヒノモトタロウの今回振り込む振込受取人情報が、実績マスタファイル６０の依頼人キー情報６１−１に紐付けられて格納されていれば振込受取人情報６４−１を抽出することができる。しかしながら、当該依頼人にとって初めての受取人に対して振り込む場合は、振込受取人情報が実績マスタファイル６０の依頼人キー情報６１−１に紐付けられていないため、当該振込受取人情報は抽出できないことになる。よってオペレータは、エントリ端末の画面に振込取引情報の画像イメージとＯＣＲ文字認識した認識結果を並べて表示し、文字認識できなかった文字等を改めて入力しなければならず、作業効率が低下するという問題があった。
【００１０】
本発明が解決しようとする課題は、実績マスタファイルにおける振込受取人情報の検索に際し、当該依頼人の依頼人キー情報６１−１に紐付けられている振込受取人情報に検索範囲を制限されることなく広く検索範囲を拡大して行うことを可能にすることにある。同時に振込受取人情報の検索を確実なものとし、オペレータの作業効率の向上を図った為替システムを可能とするものである。
【課題を解決するための手段】
【００１１】
上記課題を解決するために本発明に関する為替システムは、振込依頼人が記入した伝票から振込取引情報を文字認識し、認識結果から振込取引情報を確定する為替システムにおいて、前記伝票の振込取引情報の画像イメージと前記認識結果とをエントリ画面に対比して表示するエントリ端末と、前記振込依頼人に関する振込依頼人情報に紐づけて科目及び口座番号を含む振込受取人情報並びに振込受取人名の桁数を格納する実績マスタファイルと、前記伝票に記入した前記振込依頼人以外の前記振込依頼人情報に紐づいた前記振込受取人情報について前記科目及び口座番号並びに前記振込受取人名の桁数をキーに依頼人情報外検索を実施し、検索の結果抽出された前記振込受取人情報を候補として前記エントリ端末に表示させる制御部を有することを特徴とするものである。
【発明の効果】
【００１２】
上記構成を有する本発明によれば、伝票に記入した振込依頼人以外の振込依頼人情報に紐づいた振込受取人情報について科目及び口座番号並びに振込受取人名の桁数をキーに依頼人情報外検索を実施し、検索の結果抽出された振込受取人情報を候補としてエントリ端末に表示させるようにしたので、実績マスタファイルにおける振込受取人情報の検索に際し、当該依頼人の依頼人キー情報に紐付けられている振込受取人情報に制限されることなく広く検索範囲を拡大して行うことが可能になる。同時に、振込受取人名の桁数をキーに依頼人情報外検索を実施するので、振込受取人情報の検索を確実なものとし、オペレータの作業効率の向上を図った為替システムが可能となる。更に、実績マスタファイルの有効活用につながる為替システムを達成することができる。
【図面の簡単な説明】
【００１３】
【図１】第１の実施の形態に関する為替システムのシステム構成図である。
【図２】第１の実施の形態に関する為替サーバの機能ブロック図である。
【図３】第１の実施の形態に関するエントリ画面の説明図である。
【図４】第１の実施の形態に関する実績マスタファイルの構成図である。
【図５】第１の実施の形態に関する動作を示すフローチャートである。
【図６】第１の実施の形態に関するエントリ画面の候補の表示を示す説明図である。
【図７】従来の実績マスタファイルの構成図である。
【発明を実施するための形態】
【００１４】
（第１の実施の形態）
以下、本発明の第１の実施の形態について説明する。図１は第１の実施の形態に関する為替システムのシステム構成図である。第１の実施の形態に関する為替システム１００は、振込依頼人による記入済みの振込依頼票の振込取引情報についてイメージデータを読取り、このイメージデータから振込取引情報をＯＣＲ文字認識して、これを画面に表示し、この表示画面に基づいてオペレータが所定の項目の入力を行うものである。
【００１５】
この為替システム１００は、金融機関の営業店１と、振込依頼票を集中処理する事務センタ２と、自行ホストコンピュータ１０から構成される。営業店１には、振込依頼人が記入した伝票としての振込依頼票から振込取引情報を読み取るスキャナ４と、これを制御しスキャナ４が読み取ったイメージデータを事務センタ２へ送信する営業店端末５を有する。そして、事務センタ２は、振込取引情報のイメージデータを受信し、ＯＣＲ文字認識を行う為替サーバ７を有し、更に、オペレータが入力を行うエントリ端末８と、自行ホストコンピュータ１０へ振込データを発信する発信端末９を有する。為替サーバ７は営業店端末５と回線３を介して接続され、そして後述する実績マスタファイル６を接続する。エントリ端末８は、後述するエントリ画面３０に振込取引情報の画像イメージとＯＣＲ文字認識した認識結果を対比して表示する。ＯＣＲ文字認識の認識結果は、オペレータの確定入力によって振込データとして確定される。
【００１６】
図２は第１の実施の形態に関する為替サーバの機能ブロック図である。以下本実施の形態に関係する各部の機能について説明する。制御部１１は為替サーバ７の各部の動作を制御する。入出力部１２は営業店１の営業店端末５からの振込取引情報のイメージデータを受信する。記憶部１３は各種制御プログラム及び各種情報を記憶する。ＯＣＲ文字認識部１４は、営業店端末５から入出力部１２が受信した振込取引情報のイメージデータから文字認識を行なう。
【００１７】
実績マスタファイル検索部１５は、実績マスタファイル６に対し、後述する依頼人キー情報（電話番号）２２を検索キーにして検索を実施し、更に受取人キー情報（科目―口座番号）３４並びに後述する苗字桁数３６及び名前桁数３７を検索キーにして検索を実施する。実績マスタファイル更新部１６は、振込依頼人にとって初めての振込受取人に関する振込データが確定したとき、実績マスタファイル６に対し、振込受取人情報としての受取人キー情報（科目―口座番号）３４及び受取人情報（銀行名―支店名―受取人名）３５並びに苗字桁数３６及び名前桁数３７を更新する。
【００１８】
端末送信部１７は、エントリ端末８に対し、エントリ画面３０に表示するための振込取引情報の画像イメージとＯＣＲ文字認識した認識結果を送信する。また、実績マスタファイル検索部１５での検索の結果、抽出された依頼人名３３又は受取人情報（銀行名―支店名―受取人名）３５を送信する。端末受信部１８は、エントリ端末８からの検索依頼又は振込データの確定入力を受信する。
【００１９】
ホストへの送信ボックス１９は、端末受信部１８が受信した振込データの確定したものについて、自行ホストコンピュータ１０へ送信するまでの間、当該振込データを蓄積しておく。所定件数蓄積されると発信端末９からまとめて自行ホストコンピュータ１０へ送信する。一致率計算部２０は、後述するように広い検索範囲である依頼人情報外検索としての受取人キー情報３４及び苗字桁数３６、名前桁数３７をキーに検索した結果、受取人情報３５に複数の候補が抽出されたとき、受取人情報３５の文字の一致率を計算する。こうして複数の候補について、文字の一致率の高い順に並べてエントリ画面に表示する。
【００２０】
図３は第１の実施の形態に関するエントリ画面の説明図である。エントリ画面３０の各項目の上下２段の表示のうち、上段には振込依頼票から読み取った振込取引情報の画像イメージが切り出して表示してある。そして、下段にはＯＣＲ文字認識した認識結果が上段の画像イメージに対比して表示してある。振込指定日欄２１には２０１３年１月２９日が表示されている。依頼人電話番号欄２２には０９０３３４４５５６６が表示されている。振込受取人の科目欄２３及び口座番号欄２４には、普通預金の第１２３４５６７号が表示されている。
【００２１】
振込金額欄２５には７８９０円が表示されている。検印欄２６には印が表示されている。銀行名欄２７―支店名欄２８―振込受取人名欄２９には本州―東京―銀座一郎が表示されている。金融機関種別欄３１には銀行が表示されている。そして、振込依頼人名欄３３には日本太郎が表示されている。即ち、上記の例は日本太郎が、本州銀行の東京支店の銀座一郎名義の普通預金口座第１２３４５６７号宛に７８９０円振り込む場合を示す。
【００２２】
図４は第１の実施の形態に関する実績マスタファイルの構成図である。実績マスタファイル６は、まず依頼人の電話番号例えば０９０３３４４５５６６が依頼人キー情報３２−１として格納されている。そして、当該依頼人キー情報３２−１に紐づけられて依頼人名３３−１として例えばヒノモトタロウが格納されている。更にこれに紐づけられて、依頼人ヒノモトタロウが過去に振り込んだことがある振込受取人情報が格納されている。即ち、振込受取人情報は、受取人キー情報３４−１としての科目−口座番号が格納され、そして受取人情報３５−１としての銀行名―支店名―受取人名が格納され、更に苗字桁数３６−１及び名前桁数３７−１が格納される。例えば、当座預金―第１２３４５６７号３４−１１は、ホンシュウ銀行―トウキョウ支店―ヒガシシロウ３５−１１の名義で苗字桁数４桁３６−１１及び名前桁数３桁３７−１１である。依頼人名ヒノモトタロウに関しての次の受取人情報としては、普通預金―第２３４５６７８号３４−１２は、ホッカイドウ銀行―ホンテンーキタハナコ３５−１２で苗字桁数２桁３６−１２及び名前桁数３桁３７−１２である。以下依頼人名ヒノモトタロウの受取人情報に関しては説明を省略する。
【００２３】
そして、次の依頼人の電話番号０４８１１２２３３４４が依頼人キー情報３２−２として格納され、当該依頼人キー情報３２−２に紐づけられて依頼人名３３−２として例えばアオゾラサクラが格納されている。更にこれに紐づけられて、依頼人アオゾラサクラが過去に振り込んだことがある振込受取人情報が格納されている。即ち、振込受取人情報は、同様に受取人キー情報３４−２としての科目−口座番号、受取人情報３５−２としての銀行名―支店名―受取人名、更に苗字桁数３６−２及び名前桁数３７−２が格納されている。例えば、普通預金―第１２３４５６７号３４−２１は、ホンシュウ銀行―トウキョウ支店―ギンザイチロウ３５−２１で苗字桁数５桁３６−２１及び名前桁数４桁３７−２１である。以下の振込依頼人情報及び振込受取人情報については同様であるので説明を省略する。
【００２４】
図５は第１の実施の形態に関する動作を示すフローチャートである。為替サーバ７の制御部１１の入出力部１２が、営業店１の営業店端末５から振込依頼書の振込取引情報のイメージデータを受信すると、制御部１１はＯＣＲ文字認識部１４に対して振込取引情報の文字認識を行うよう指示する。こうして為替サーバ７の制御部１１は、振込取引情報の画像イメージとＯＣＲ文字認識した認識結果の両者を得る。制御部１１は、記憶部１３に対して、これらを一時記憶するよう指示する。
【００２５】
Ｓ１０１：制御部１１は端末送信部１７に対し、記憶部１３に記憶した振込取引情報の画像イメージをエントリ端末８へ送信するよう指示する。
【００２６】
Ｓ１０２：同時に、制御部１１は端末送信部１７に対し、同じく記憶部１３に記憶した振込取引情報の文字認識した認識結果をエントリ端末８へ送信するよう指示する。これを受信したエントリ端末８はエントリ画面３０に振込取引情報の画像イメージとＯＣＲ文字認識した認識結果の両者を対比して表示する。そしてオペレータは、まず振込依頼人の電話番号欄２２についてエントリ端末８のエントリ画面３０を確認し、図示しない確定入力ボタンを押下することにより、確定入力を実施する。エントリ端末８は、確定した振込依頼人の電話番号０９０３３４４５５６６を為替サーバ７へ送信する。
【００２７】
Ｓ１０３：制御部１１は端末受信部１８が振込依頼人の電話番号０９０３３４４５５６６を受信すると、実績マスタファイル検索部１５に対し、これを依頼人キー情報３２−１として、実績マスタファイル６を検索し、依頼人名３３−１を抽出するよう指示する。依頼人名３３−１ヒノモトタロウが抽出されると、制御部１１は端末送信部１７に対し、これをエントリ端末８へ送信するよう指示する。
【００２８】
エントリ端末８は依頼人名３３−１ヒノモトタロウをエントリ画面３０の図示しないポップアップ画面に表示する。そしてオペレータは、エントリ画面３０の振込依頼人名３３の画像イメージとＯＣＲ文字認識した認識結果とを参考にすることにより、依頼人名３３−１ヒノモトタロウについて確定入力を実施する。その後、オペレータは、エントリ画面３０の振込受取人の科目欄２３と口座番号欄２４について、画像イメージとＯＣＲ文字認識した認識結果とを対比することにより、受取人キー情報としての科目―口座番号（ここでは普通預金―口座番号第１２３４５６７号とする）を確定する。エントリ端末８はオペレータの操作に従って、受取人キー情報としての科目普通預金―口座番号第１２３４５６７号を為替サーバ７へ送信する。
【００２９】
Ｓ１０４：制御部１１は端末受信部１８が受取人キー情報３２−１としての科目普通預金―口座番号第１２３４５６７号を受信すると、実績マスタファイル検索部１５に対し、実績マスタファイル６の依頼人キー情報３２−１に紐付けられた振込受取人情報を検索し（この場合の検索を依頼人情報内検索という）、受取人情報３５−１を抽出するよう指示する。
【００３０】
Ｓ１０５：制御部１１は受取人情報３５−１が抽出されたかどうか判断する。ここで正しい受取人キー情報は科目普通預金―口座番号第１２３４５６７号である。ところが実績マスタファイル６の依頼人キー情報３２−１電話番号０９０３３４４５５６６に紐付けられた受取人キー情報は、それぞれ科目当座預金―口座番号第１２３４５６７号３４−１１、科目普通預金―口座番号第２３４５６７８号３４−１２、科目普通預金―口座番号第３４５６７８９号３４−１３及び科目普通預金―口座番号第４５６７８９０号３４−１４である。よって、ここには存在しないことが分かる。振込依頼人ヒノモトタロウが初めての受取人である科目普通預金―口座番号第１２３４５６７号へ振り込みを行うため、当該受取人情報は当然に依頼人キー情報３２−１に紐付けられていない。従って、依頼人情報内検索では振込受取人情報の候補が抽出されず、ステップ１０６へ移行する。仮に振込受取人情報の候補が抽出された場合はステップ１１１へ移行する。
【００３１】
Ｓ１０６：依頼人情報内検索を実施して振込受取人情報の候補が抽出されなかったときは、次に制御部１１は広い検索範囲で検索を行う。即ち、まず制御部１１は端末送信部１７に対し、エントリ端末８から、エントリ画面３０の銀行名欄２７、支店名欄２８、振込受取人名欄２９及び受取人名の苗字桁数５桁と名前桁数４桁を送信するよう指示する。エントリ端末８は、エントリ画面３０の銀行名欄２７のホンシュウ、支店名欄２８のトウキョウ、振込受取人名欄２９のギンザイチロウ及び受取人名の苗字桁数５桁と名前桁数４桁を為替サーバ７へ送信する。なお、受取人名ギンザイチロウの苗字桁数５桁と名前桁数４桁はエントリ端末８において、送信する前に算定する。制御部１１は端末受信部１８でこれらを受信すると、一旦記憶部１３に対し、これを記憶するよう指示する。
【００３２】
その後、制御部１１は実績マスタファイル検索部１５に対し、実績マスタファイル６の依頼人キー情報３２−１以外に紐付けられた振込受取人情報を検索し（この場合の検索を依頼人情報外検索という）、受取人情報３５−２以降のいずれかを抽出するよう指示する。このように依頼人の依頼人キー情報３２−１に紐付けられている振込受取人情報に検索範囲を制限されることなく広く検索範囲を拡大して行うことになる。
【００３３】
ここで検索条件は、受取人キー情報が科目普通預金―口座番号第１２３４５６７号で、苗字桁数５桁、名前桁数４桁である。このように検索条件に苗字桁数３６及び名前桁数３７を含ませたのは、受取人情報３５の銀行名―支店名―受取人名の全体の一致を検索することが、文字認識率が十分に高くないことから、確実とはいえないことにある。これに対し、苗字桁数３６及び名前桁数３７の一致を採ることの方がより確度が高いからである。更に、検索範囲が拡大したことにより、検索結果が膨大となるおそれがある。これに対し、苗字桁数３６及び名前桁数３７により確実に絞込みを行うことができる。
【００３４】
この検索条件と同じ情報が、依頼人キー情報３２−２に紐付けられた受取人キー情報３４−２の科目普通預金―口座番号第１２３４５６７号で、苗字桁数５桁３６−２１、名前桁数４桁３７−２１がある。実績マスタファイル検索部１５は、受取人キー情報３４−２の科目普通預金―口座番号第１２３４５６７号に紐付けられた受取人情報３５−２のホンシュウ銀行―トウキョウ支店―ギンザイチロウ３５−２１を振込受取人情報の候補として抽出する。
【００３５】
Ｓ１０７：制御部１１は実績マスタファイル検索部１５から振込受取人情報の候補が抽出されたかどうか判断する。振込受取人情報の候補が抽出されなかったときはステップ１０８へ移行し、候補が抽出されたときはステップ１０９へ移行する。
【００３６】
Ｓ１０８：振込受取人情報の候補が抽出されなかったとき、制御部１１は、端末送信部１７に対し、エントリ端末８へ振込受取人情報の候補が抽出されなかったことを通知するよう指示する。これを受けたオペレータは、エントリ画面の２０の受取人の銀行名欄２７、支店名欄２８及び振込受取人名欄２９について、画像イメージとＯＣＲ文字認識した認識結果の両者を参考に手入力によって、確定入力を行う。
【００３７】
Ｓ１０９：ステップ１０７において振込受取人情報の候補が抽出されたとき、制御部１１は候補が複数か単数か判断する。単数の場合はステップ１１１へ移行し、複数の場合はステップ１１０へ移行する。
【００３８】
Ｓ１１０：ステップ１０９において、複数の振込受取人情報の候補が抽出されたことを制御部１１が判断したとき、一致率によって絞込みを行う。即ち、これらの複数の候補は、受取人キー情報３４（科目普通預金―口座番号第１２３４５６７号）が同じで、かつ苗字桁数３６（５桁）及び名前桁数３７（４桁）が同じである。そして、異なる部分は、受取人情報３５（銀行名―支店名―受取人名）のみである。制御部１１は一致率計算部２０に対し、複数の受取人情報３５について、記憶部１３に記憶した銀行名欄２７のホンシュウ、支店名欄２８のトウキョウ、振込受取人名欄２９のギンザイチロウとの一致率を計算するよう指示する。そして、一致率の高い順に並べるよう指示する。
【００３９】
Ｓ１１１：ステップ１０５において、依頼人情報内検索の結果、振込受取人情報の候補が抽出された場合、制御部１１は端末送信部１７に対し、抽出された受取人情報３５をエントリ端末８へ送信するよう指示する。これを受信したエントリ端末８はエントリ画面３０に候補としての当該受取人情報を表示する。
【００４０】
図６は第１の実施の形態に関するエントリ画面の候補の表示を示す説明図である。今仮に依頼人情報内検索の結果、受取人情報３５として本州銀行東京支店銀座一郎が抽出されたとする。同図（ａ）に示すように、エントリ画面３０のポップアップ画面４０には「候補があります。ホンシュウ銀行トウキョウ支店ギンザイチロウ」を表示する。この場合ポップアップ画面４０の色は、依頼人情報内検索の結果を意味する青色４２とする。オペレータは、エントリ画面３０に表示された銀行名欄２７、支店名欄２８、振込受取人名欄２９について、画像イメージとＯＣＲ文字認識した認識結果を参照し、為替サーバ７から送信された候補としての受取人情報３５の確定入力を実施する。
【００４１】
一方ステップ１０９において、依頼人情報外検索の結果、振込受取人情報の候補が１件抽出された場合、制御部１１は端末送信部１７に対し、抽出された受取人情報３５をエントリ端末８へ送信するよう指示する。これを受信したエントリ端末８はエントリ画面３０に当該受取人情報を表示する。今仮に依頼人情報外検索の結果、受取人情報３５−２として本州銀行東京支店銀座一郎が抽出されたとする。図６（ｂ）にポップアップ画面４０だけを示す。同図（ｂ）に示すように、ポップアップ画面４０には「候補があります。ホンシュウ銀行トウキョウ支店ギンザイチロウ」を表示する。
【００４２】
この場合ポップアップ画面４０の色は、依頼人情報外検索の結果を意味する黄色４３とする。前述の依頼人情報内検索の結果を意味する青色と異ならせることにより、オペレータに当該振込依頼人の取引実績の有無を知らせることができる。オペレータは、エントリ画面３０に表示された銀行名欄２７、支店名欄２８、振込受取人名欄２９について、画像イメージとＯＣＲ文字認識した認識結果を参照し、為替サーバ７から送信された候補としての受取人情報３５−２の確定入力を実施する。このように振込依頼人にとって初めての振込受取人への振込みであっても、エントリ画面３０へ複数の受取人情報３５の候補を表示することができるので、オペレータにとって作業効率の向上を図ることができる。
【００４３】
更にステップ１１０において、依頼人情報外検索の結果、振込受取人情報の候補が複数件抽出された場合、制御部１１は端末送信部１７に対し、抽出された複数の受取人情報３５を一致率の高い順に優先順位を付してエントリ端末８へ送信するよう指示する。これを受信したエントリ端末８はエントリ画面３０に当該複数の受取人情報を表示する。図６（ｃ）にポップアップ画面４１に複数の候補を表示する例を示す。同図（ｃ）に示すようにポップアップ画面４１には「候補があります。優先順位１．ホンシュウ銀行トウキョウ支店ギンザイチロウ、優先順位２．○○銀行○○支店○○○○、優先順位３．△△銀行△△支店△△△△」を表示する。同図（ｃ）において、４４は優先順位を示す。
【００４４】
この場合ポップアップ画面４１の色は、依頼人情報外検索の結果を意味する黄色４３とする。この場合においても、前述の依頼人情報内検索の結果を意味する青色と異ならせることにより、オペレータに当該振込依頼人の取引実績の有無を知らせることができる。オペレータは、エントリ画面３０に表示された銀行名欄２７、支店名欄２８、振込受取人名欄２９について、画像イメージとＯＣＲ文字認識した認識結果を参照し、為替サーバ７から送信された候補としての複数の受取人情報３５から確実な一件の確定入力を実施する。この場合も同様に、振込依頼人にとって初めての振込受取人への振込みであっても、エントリ画面３０へ複数の受取人情報３５の候補を表示することができるので、オペレータにとって作業効率の向上を図ることができる。
【００４５】
Ｓ１１２：制御部１１は端末受信部１８に対して、エントリ端末８からの確定入力が受信されたかどうか監視するよう指示する。エントリ端末８から確定入力があったときは、確定された振込データがエントリ端末８から為替サーバ７へ送られる。
【００４６】
Ｓ１１３：エントリ端末８から確定入力があったときは、制御部１１は、ホストへの送信ボックス１９に対し、振込データを一旦これに格納するよう指示する。ホストへの送信ボックス１９に所定量の振込データが蓄積されると、制御部１１は端末送信部１７に対し、発信端末９から自行ホストコンピュータ１０へ、ホストへの送信ボックス１９の振込データを送信させるよう指示する。同時に制御部１１は実績マスタファイル更新部１６に対し、実績マスタファイルを更新するよう指示する。
【００４７】
前述の図４における実績マスタファイル６の構成の説明において、受取人名の苗字桁数３６と名前桁数３７を分けて格納することを説明したが、これに限らない。即ち、両者を合わせた氏名桁数としても同様の効果を達成することができる。また法人等の場合もあるので氏名又は名称の桁数としても同様の効果を達成することができる。
【００４８】
以上本実施の形態によれば、実績マスタファイル６において、伝票としての振込依頼票に記入した依頼人キー情報３２−１以外の依頼人キー情報３２−２以降に紐づいた受取人キー情報３４−２以降について科目及び口座番号並びに受取人名の桁数３６、３７をキーに依頼人情報外検索を実施し、検索の結果抽出された受取人情報３５−２を候補としてエントリ端末８に表示させるようにしたので、実績マスタファイルにおける振込受取人情報の検索に際し、当該依頼人の依頼人キー情報３２−１に紐付けられている振込受取人情報に検索範囲を制限されることなく広く検索範囲を拡大して行うことが可能になる。同時に、受取人名の桁数３６、３７をキーに依頼人情報外検索を実施するので、振込受取人情報の検索を確実なものとし、オペレータの作業効率の向上を図った為替システムが可能となる。
【符号の説明】
【００４９】
１      営業店
２      事務センタ
４      スキャナ
５      営業店端末
６      実績マスタファイル
７      為替サーバ
８      エントリ端末
９      発信端末
１０    自行ホスト
３０    エントリ画面
１００  為替システム
【図１】
2014127104.tif 000003
【図２】
2014127104.tif 000004
【図３】
2014127104.tif 000005
【図４】
2014127104.tif 000006
【図５】
2014127104.tif 000007
【図６】
2014127104.tif 000008
【図７】
2014127104.tif 000009